(57)【要約】  本発明は、回路チップへの曲げ応力が低減され、かつ、導体パターンの断線も回避された電子装置等を提供することを目的とし、ベース１１と、ベース上に配線された導体パターン１２と、導体パターン１２に電気的に接続された回路チップ１３と、ベース１１上に回路チップ１３を囲んで配置された、環状の外形を有する、内部構造として、互いに同心の複数の環１６ａ，１６ｂを有する補強体１６と、補強体１６の内側を埋めて回路チップ１３上部を覆い、回路チップ１３をベース１１上で封止した封止体１５ａとを備えた。
2008117382.tif 000002
【特許請求の範囲】
【請求項１】
ベースと、
前記ベース上に配線された導体パターンと、
前記導体パターンに電気的に接続された回路チップと、
前記ベース上に前記回路チップを囲んで配置された、環状の外形を有する、内部構造として、互いに同心の複数の環を有する補強体と、
前記補強体の内側を埋めて前記回路チップ上部を覆い、該回路チップを前記ベース上で封止した封止体とを備えたことを特徴とする電子装置。
【請求項２】
前記補強体が、前記複数の環の相互間が接着剤で埋められてなるものであることを特徴とする請求項１記載の電子装置。
【請求項３】
前記補強体は、前記複数の環のうち最外周の環が、残りの環のうち少なくともいずれか１つの環よりも柔らかいものであることを特徴とする請求項１記載の電子装置。
【請求項４】
前記補強体は、前記複数の環のうち最外周の環における、環の径方向の幅が残りの環のうち少なくともいずれか１つの環における幅よりも狭いものであることを特徴とする請求項１記載の電子装置。
【請求項５】
前記補強体は、前記複数の環のうち最外周の環における、前記ベースの厚み方向での厚さが残りの環状補強部の少なくともいずれか１つの環における厚さよりも薄いものであることを特徴とする請求項１記載の電子装置。
【請求項６】
前記補強部体は、前記複数の環のうち少なくとも２つの環を接続する、環の材料と同じ材料で一体に形成された接続部を有するものであることを特徴とする請求項１記載の電子装置。
【請求項７】
前記電子装置が、前記導体パターンを通信用のアンテナとして機能させ、前記回路チップを該導体パターンを介した無線通信を行わせるＲＦＩＤタグであることを特徴とする請求項１記載の電子装置。
【請求項８】
電子装置と、該電子装置が実装された、該電子装置の動作によって駆動される機器本体部とを備えた電子機器であって、
前記電子装置が
ベースと、
前記ベース上に配線された導体パターンと、
前記導体パターンに電気的に接続された回路チップと、
前記ベース上に前記回路チップを囲んで配置された、環状の外形を有する、内部構造として、互いに同心の複数の環を有する補強体と、
前記補強体の内側を埋めて前記回路チップ上部を覆い、該回路チップを前記ベース上で封止した封止体とを備えたことを特徴とする電子機器。
【請求項９】
電子装置と、該電子装置が装着された被装着物品とからなる物品であって、
前記電子装置が
ベースと、
前記ベース上に配線された導体パターンと、
前記導体パターンに電気的に接続された回路チップと、
前記ベース上に前記回路チップを囲んで配置された、環状の外形を有する、内部構造として、互いに同心の複数の環を有する補強体と、
前記補強体の内側を埋めて前記回路チップ上部を覆い、該回路チップを前記ベース上で封止した封止体とを備えたことを特徴とする物品。
【請求項１０】
導体パターンが配線されたベースの該導体パターンに回路チップを接続する接続工程と、
接着剤を前記回路チップ上部を覆って塗布する接着剤塗布工程と、
環状の外形を有し内部構造として複数の環を有する補強体を、前記ベース上に、
該複数の環が互いに同心となるよう、前記回路チップを囲んで配置し、前記接着剤が前記補強体の少なくとも内側を埋めた状態とする補強体配置工程と、
前記接着剤を硬化させることによって、該接着剤に前記回路チップを前記ベース上で封止させるとともに、前記補強体を該ベースに固定させる硬化工程とを有することを特徴とする電子装置の製造方法。
【発明の詳細な説明】
【技術分野】
【０００１】
本発明は、電子装置、電子装置が実装された電子機器、電子装置が装着された物品、および電子装置の製造方法に関する。
【背景技術】
【０００２】
従来より、プリント配線基板等のベースに回路チップが搭載されてなる電子装置が広く知られている。このような電子装置は、電子機器に内蔵されてこの電子機器を制御したり、あるいは単体として外部機器と情報をやり取りしたりする用途に用いられている。電子装置の一例として、リーダライタに代表される外部機器と、電波によって非接触で情報のやり取りを行う種々のＲＦＩＤ（Ｒａｄｉｏ＿Ｆｒｅｑｕｅｎｃｙ＿ＩＤｅｎｔｉｆｉｃａｔｉｏｎ）タグが知られている。このＲＦＩＤタグの一種として、プラスチックや紙などからなるベースシート上に電波通信用の導体パターンとＩＣチップが搭載された構成のものが提案されている（例えば、特開２００１−１５６１１０号公報参照。）。このようなタイプのＲＦＩＤタグについては、物品などに貼り付けられ、その物品に関する情報を外部機器とやり取りすることで物品の識別などを行うという利用形態が考えられている。【０００３】
図１は、従来技術のＲＦＩＤタグの一例を示す模式断面図である。【０００４】
ここに示すＲＦＩＤタグ９０は、折り曲げ可能な、例えばＰＥＴフィルム等からなるベース９１上に、導体パターンからなるアンテナ９２が形成されており、その上に回路チップ９３が搭載されている。この回路チップ９３には、アンテナ９２を介して外部機器との間で情報を伝達するための回路が組み込まれている。この回路チップ９３は、その下面に形成されている接続端子９３ａがはんだ付け等によりアンテナ９２と電気的に接続され、さらに接着剤９４でベース９１上に固定されている。また、ＲＦＩＤタグ９０のベース９１上には、回路チップ９３を覆うポッティング剤９５と、回路チップ９３を取り囲んで配置された環状の補強体９６が設けられている。さらに、ベース９１、アンテナ９２、回路チップ９３、ポッティング剤９５、および補強体９６が組み合わされてなるタグ本体の全体が被覆材９７によって覆われている。ポッティング剤９５のうち、環状の補強体９６の内側を埋めた内側部分９５ａが、回路チップ９３上部を覆い、回路チップ９３をベース９１で封止している。【０００５】
ＲＦＩＤタグ９０は、例えば衣服など柔軟な材質の物品に装着されて利用され、クリーニング時に折り曲げられることがある。ＲＦＩＤタグ９０では、回路チップ９３の周辺にポッティング剤９５、および補強体９６が設けられており、回路チップ９３が保護されている。このため、折り曲げられても、回路チップ９３自体の割れや剥れが防止される。
【発明の開示】
【０００６】
しかし、ＲＦＩＤタグ９０では、補強体９６によって回路チップ９３は保護されるものの、補強体９６周辺の部分が破壊されるおそれがある。例えば、ベース９１に曲げ応力がかかると、アンテナ９２の、補強体９６から露出する部分（図１に破線の円で示す部分）に応力が集中してアンテナ９２が断線するおそれがある。
【０００７】
そして、このような補強体９６周辺の部分の破壊による問題はＲＦＩＤタグに限らず、柔軟性を有数するベースに回路チップが搭載された電子装置に共通の問題である。
【０００８】
本発明は、上記事情に鑑み、回路チップへの曲げ応力が低減され、かつ、導体パターンの断線も回避された電子装置、この電子装置が実装された電子機器、この電子装置が装着された物品、および電子装置の製造方法を提供することを目的とする。
【０００９】
上記目的を達成する本発明の電子装置は、ベースと、
上記ベース上に配線された導体パターンと、
上記導体パターンに電気的に接続された回路チップと、
上記ベース上に上記回路チップを囲んで配置された、環状の外形を有する、内部構造として、互いに同心の複数の環を有する補強体と、
上記補強体の内側を埋めて上記回路チップ上部を覆い、この回路チップを上記ベース上で封止した封止体とを備えたことを特徴とする。
【００１０】
本発明の電子装置は、封止体が、環状の補強体の内側を埋めて回路チップ上部を覆い、回路チップを上記ベース上で封止した構造を有しているため、ベースが折り曲げられても回路チップに応力はかからずに済み、回路チップの割れや剥れが防止される。さらに、本発明の電子装置は、回路チップを囲んで配置された補強体が、内部構造として、互いに同心の複数の環を有しているため、電子装置の折り曲げによりかかる応力が複数の環に分散するため、導体パターンの断線が抑えられる。
【００１１】
ここで、上記本発明の電子装置において、上記補強体が、上記複数の環の相互間が接着剤で埋められてなるものであることが好ましい。
【００１２】
複数の環の相互間が接着剤で埋められた構造では、電子装置が折り曲げられることによりかかる応力が、補強体の複数の環に加え、複数の環の間の接着剤にも分散する。
【００１３】
また、上記本発明の電子装置において、上記補強体は、上記複数の環のうち最外周の環が、残りの環のうち少なくともいずれか１つの環よりも柔らかいものであることが好ましい。
【００１４】
電子装置が全体に亘って折り曲げられられる場合、応力は、補強体の特に最外周の環にかかりやすい。最外周の環が柔らかいことによって、最外周の環にかかる応力がより低減する。
【００１５】
また、上記本発明の電子装置において、上記補強体は、上記複数の環のうち最外周の環における、環の径方向の幅が残りの環のうち少なくともいずれか１つの環における幅よりも狭いものであってもよく、あるいは、電子装置において、上記補強体は、上記複数の環のうち最外周の環における、上記ベースの厚み方向での厚さが残りの環状補強部の少なくともいずれか１つの環における厚さよりも薄いものであってもよい。
【００１６】
最外周の環について、環の径方向の幅を狭く、あるいは厚さを薄くすることによって、複数の環を同一の材料で形成しても、最外周の環を柔らかくすることができる。
【００１７】
また、上記本発明の電子装置において、上記補強部体は、上記複数の環のうち少なくとも２つの環を接続する、環の材料と同じ材料で一体に形成された接続部を有するものであることが好ましい。
【００１８】
２つの環とこの環を接続する接続部とが同じ材料で一体に形成されている場合には、電子装置の製造において、この一体化した部材を配置するだけで、２つの環が相互に適当な間隔をおいて位置決めされ、一度に配置される。したがって、電子装置の製造が容易になる。
【００１９】
また、上記本発明の上記電子装置は、上記導体パターンを通信用のアンテナとして機能させ、上記回路チップをこの導体パターンを介した無線通信を行わせるＲＦＩＤタグであってもよい。
【００２０】
商品やカードに取り付けられた状態で使用されるＲＦＩＤタグは、折り曲げられる場合が多いため、本発明の電子装置はＲＦＩＤタグに好適である。
【００２１】
また、上記目的を達成する本発明の電子機器は、電子装置と、この電子装置が実装された、この電子装置の動作によって駆動される機器本体部とを備えた電子機器であって、
上記電子装置が
ベースと、
上記ベース上に配線された導体パターンと、
上記導体パターンに電気的に接続された回路チップと、
上記ベース上に上記回路チップを囲んで配置された、環状の外形を有する、内部構造として、互いに同心の複数の環を有する補強体と、
上記補強体の内側を埋めて上記回路チップ上部を覆い、この回路チップを上記ベース上で封止した封止体とを備えたことを特徴とする。
【００２２】
本発明の電子機器では、例えば、電子機器自身の折曲げや、修理や点検の際に電子装置が折り曲げられても導体パターンの断線が抑えられるため、電子機器の信頼性が向上する。
【００２３】
また、上記目的を達成する本発明の電子装置が装着された物品は、電子装置と、この電子装置が装着された被装着物品とからなる物品であって、
上記電子装置が
ベースと、
上記ベース上に配線された導体パターンと、
上記導体パターンに電気的に接続された回路チップと、
上記ベース上に上記回路チップを囲んで配置された、環状の外形を有する、内部構造として、互いに同心の複数の環を有する補強体と、
上記補強体の内側を埋めて上記回路チップ上部を覆い、この回路チップを上記ベース上で封止した封止体とを備えたことを特徴とする。
【００２４】
例えばＲＦＩＤタグ等の電子装置が装着された物品は、電子装置ごと折り曲げられる場合があるが、この場合にも、回路チップの割れや剥れ、および導体パターンの断線が抑えられる。
【００２５】
また、上記目的を達成する本発明の電子装置の製造方法は、導体パターンが配線されたベースのこの導体パターンに回路チップを接続する接続工程と、
接着剤を上記回路チップ上部を覆って塗布する接着剤塗布工程と、
環状の外形を有し内部構造として複数の環を有する補強体を、上記ベース上に、
この複数の環が互いに同心となるよう、上記回路チップを囲んで配置し、上記接着剤が上記補強体の少なくとも内側を埋めた状態とする補強体配置工程と、
上記接着剤を硬化させることによって、この接着剤に上記回路チップを上記ベース上で封止させるとともに、上記補強体をこのベースに固定させる硬化工程とを有することを特徴とする。
【００２６】
本発明の電子装置の製造方法では、補強体を、上記ベース上に、複数の環が互いに同心となるよう回路チップを囲んで配置し、補強体の内側を埋めた状態の接着剤を硬化させることによって、応力が複数の環に分散する電子装置を製造することができる。
【００２７】
以上説明したように、本発明によれば、回路チップへの曲げ応力の集中を避けながら、導体パターンへの応力集中も回避される。
【図面の簡単な説明】
【００２８】
【図１】従来技術のＲＦＩＤタグの一例を示す模式断面図である。
【図２】本発明の第１実施形態であるＲＦＩＤタグを示す断面図である。
【図３】本発明の実施形態であるＲＦＩＤタグを示す平面図である。
【図４】図２および図３に示すＲＦＩＤタグの製造方法を説明する図である。
【図５】本発明の電子装置の第２実施形態であるＲＦＩＤタグを示す平面図である。
【図６】本発明の電子装置の第３実施形態であるＲＦＩＤタグを示す断面図である。
【図７】本発明の電子装置の第４実施形態であるＲＦＩＤタグを示す断面図である。
【図８】ＲＦＩＤタグが装着された衣服の製造方法を説明する図である。
【図９】本発明の一実施形態としてのプリント回路基板装置と、このプリント回路基板装置が実装された卓上計算機の概略を示す図である。
【発明を実施するための最良の形態】
【００２９】
以下図面を参照して本発明の実施形態について説明する。【００３０】
図２および図３は、本発明の電子装置の第１実施形態であるＲＦＩＤタグを示す、それぞれ断面図および平面図である。なお、図２の断面図には、構造を見やすくするため、ＲＦＩＤタグの中央部分が図３の平面図に比べ拡大して示されている。【００３１】
この図２および図３に示すＲＦＩＤタグ１０は、図１に示すＲＦＩＤタグ９０とは封止体および補強体の構造が異なり、この点を除き、図１に示すＲＦＩＤタグ９０と同様である。すなわち、可焼性のベース１１上にアンテナ１２が形成されるとともに回路チップ１３が搭載され、その回路チップ１３が接着剤１４で固定されている。また、ベース１１上には、回路チップ１３の上部を覆うポッティング剤１５と、回路チップ１３を取り囲んで配置された環状の補強体１６が設けられている。さらに、ベース１１、アンテナ１２、回路チップ１３、ポッティング剤１５、および補強体１６が組み合わされてなる装置の全体が被覆材１７によって覆われている。なお、図３の平面図では、内部構造の見易さのため、被覆材１７の図示が省略されている。【００３２】
補強体１６は、互いに同心に配置された、内周側の内周環１６ａと外周側の外周環１６ｂとの２つの円環からなる内部構造を有しており、円環状の外形を有している。外周環１６ｂおよび内周環１６ａは、異なる種類の樹脂材料からなり、外周環１６ｂは、内周環１６ａより柔らかい材料で形成されている。内周環１６ａの材料としては、例えばアクリル（ＰＭＡＡ）が採用されるが、アクリル以外にも、例えばポリアセタール（ＰＯＭ）、ポリフェニレンサルファイド（ＰＰＳ）が採用可能である。また、外周環１６ｂの材料としては、例えば、内周環１６ａの材料よりも柔らかいポリプロピレン（ＰＰ）が採用されるが、ポリプロピレン以外にも、例えばＡＢＳ樹脂（ＡＢＳ）、塩化ビニル樹脂（ＰＶＣ）が採用可能である。また、内周環１６ａおよび外周環１６ｂの材料としては、同一種類の樹脂を主成分として含み、添加物の種類や添加量によって柔らかさが調整された材料を採用することもできる。【００３３】
ポッティング剤１５は、補強体１６の内側を埋めた内側部１５ａ、内周環１６ａと外周環１６ｂとの間を埋めた中間部１５ｂ、外側部１５ｃを外側から囲む外側部１５ｃに区画されている。ポッティング剤１５のうち、補強体１６の内側を埋めた内側部１５ａは、回路チップ１３上部を覆い、回路チップ１３をベース１１上で封止している。【００３４】
ここで、アンテナ１２が、本発明にいう導体パターンの一例に相当し、ポッティング剤１５の内側部１５ａが、本発明にいう補強体の一例に相当し、中間部１５ｂが、本発明にいう接着剤の一例に相当し、内周環１６ａと外周環１６ｂが、本発明にいう環の一例に相当する。また、外周環１６ｂが、本発明にいう最外周の環の一例に相当する。【００３５】
このＲＦＩＤタグ１０は、回路チップを囲んで配置された補強体１６が、内周環１６ａと外周環１６ｂを有しており、ＲＦＩＤタグ１０の折曲げによってかかる応力が内周環１６ａと外周環１６ｂに分散するため、アンテナ１２の内周環１６ａから露出した部分への応力集中、および、外周環１６ｂから露出した部分への応力集中の双方が抑えられ、アンテナ１２の断線が防止される。特に、外周環１６ｂが内周環１６ａより柔らかいので、ＲＦＩＤタグ１０が全体に亘って折り曲げられる場合、最外周に配置された外周環１６ｂに応力の集中が抑えられる。また、このＲＦＩＤタグ１０は、補強体１６に取り囲まれ、回路チップ１３の上部が補強体１６内部を埋めた、ポッティング剤１５の内側部１５ａで覆われており、回路チップ１３は、その内側部１５ａとベース１１の協同により封止されている。このため、回路チップ１３への応力集中も防止され、回路チップ１３の割れや剥れ等も防止される。また、内周環１６ａと外周環１６ｂの間がポッティング剤１５の中間部１５ｂで埋めらているため、内周環１６ａと外周環１６ｂの間にかかる応力が中間部１５ｂに分散する。【００３６】
続いて、ＲＦＩＤタグの製造方法を説明する。【００３７】
図４は、図２および図３に示すＲＦＩＤタグの製造方法を説明する図である。【００３８】
図４のパート（ａ）からパート（ｅ）までには、ＲＦＩＤタグを製造する各工程が順に示されている。【００３９】
ＲＦＩＤタグ１０を得るには、まず、図４のパート（ａ）に示す接続工程で、アンテナ１２が配線されたベース１１のアンテナ１２に回路チップ１３を接続する。【００４０】
次に、図４のパート（ｂ）に示す接着剤塗布工程で、熱硬化性の樹脂からなる液状のポッティング剤１５ｐを回路チップ１３上部を覆って塗布する。ポッティング剤１５ｐは、回路チップ１３の周辺にも塗布する。【００４１】
次に、図４のパート（ｃ）および（ｄ）に示す補強体配置工程で、内周環１６ａおよび外周環１６ｂを、回路チップ１３を囲うように位置合わせしてベース１１上に搭載する。内周環１６ａおよび外周環１６ｂを、ポッティング剤１５ｐ中に沈み込ませるように配置するとポッティング剤１５ｐは、内周環１６ａの内側、内周環１６ａと外周環１６ｂとの間、外周環１６ｂの外側の３つの場所に分かれる。この後、パート（ｄ）に示すように、ポッティング剤１５ｐを加熱することによって、硬化させる。これにより、内周環１６ａと外周環１６ｂが硬化したポッティング剤１５によって一体に結合され、補強体１６が完成する。内周環１６ａの内側には、内側部１５ａが形成される。【００４２】
次に、図４のパート（ｅ）に示す被覆工程で、ベース１１を表裏面両側から被覆材１７によって覆う。被覆材１７は加熱および加圧することで密着する。被覆工程が完了すると、図２に示すＲＦＩＤタグ１０が得られる。【００４３】
上述した実施形態では、補強体２６の外周環２６ｂと内周環２６ａとの柔らかさが互いに異なる材料からなることによって調整されているが、続いて、複数の環が同一の材料で形成された、本発明の第２実施形態および第３実施形態について説明する。以下の第２実施形態の説明にあたっては、これまで説明してきた実施形態における各要素と同一の要素には同一の符号を付けて示し、前述の実施形態との相違点について説明する。【００４４】
図５は、本発明の電子装置の第２実施形態であるＲＦＩＤタグを示す平面図である。【００４５】
この図５に示すＲＦＩＤタグ２０は、図２および図３に示すＲＦＩＤタグ１０とは、補強体２６の構造が異なる。ＲＦＩＤタグ２０の補強体２６を構成する外周側の外周環２６ｂと内周側の内周環２６ａとは、同一の材料で形成されている。また、外周環２６ｂの、この外周環２６ｂの径方向の幅は、内周環２６ａの径方向の幅よりも狭い。図５に示すＲＦＩＤタグ２０は、この点を除き、図２および図３に示すＲＦＩＤタグ１０と同様である。【００４６】
外周環２６ｂの径方向の幅は、内周環２６ａの径方向の幅よりも狭いため、外周環２６ｂは、内周環２６ａよりも柔らかい。したがって、ＲＦＩＤタグ２０が折り曲げられる場合に外周環２６ｂへの応力の集中が抑えられる。【００４７】
図６は、本発明の電子装置の第３実施形態であるＲＦＩＤタグを示す断面図である。【００４８】
この図６に示すＲＦＩＤタグ３０において、補強体３６を構成する、外周側の外周環３６ｂと内周側の内周環３６ａとは、同一の材料で形成されている。また、外周環３６ｂの、ベース１１の厚み方向での厚さは、内周環３６ａの厚さよりも薄い。図６に示すＲＦＩＤタグ３０は、この点を除き、図２および図３に示すＲＦＩＤタグ１０と同様である。【００４９】
図６に示すＲＦＩＤタグ３０は、外周環３６ｂのベース１１の厚み方向での厚さが、内周環３６ａの厚さよりも薄いため、外周環３６ｂは、内周環３６ａよりも柔らかい。したがって、ＲＦＩＤタグ３０が折り曲げられる場合に外周環３６ｂへの応力の集中が抑えられる。【００５０】
図７は、本発明の電子装置の第４実施形態であるＲＦＩＤタグを示す断面図である。【００５１】
この図６に示すＲＦＩＤタグ４０の補強体４６は、外周側の外周環４６ｂと、内周側の内周環４６ａと、外周環４６ｂおよび内周環４６ａを接続する接続部４６ｃとを有している。外周環４６ｂ、内周環４６ａ、および接続部４６ｃは同じ材料で一体に形成されている。補強体４６は、ＲＦＩＤタグ４０が製造される前の部品単体の時点で、外周環４６ｂと内周環４６ａとが、回路チップ１３を囲う所定の間隔をおいて同心状に配置された構造を有している。図６に示すＲＦＩＤタグ４０は、この点を除き、図２および図３に示すＲＦＩＤタグ１０と同様である。ＲＦＩＤタグ４０を製造する際には、内周環４６ａ、外周環４６ｂおよび接続部４６ｃが一体化した補強体４６を、ベース１１上の回路チップ１３を囲う位置に搭載する。これによって、外周環４６ｂの位置合わせと内周環４６ａの位置合わせが同時になされる。【００５２】
続いて、上述したＲＦＩＤタグの応用例として、本発明の、電子装置が装着された物品の一実施形態である、ＲＦＩＤタグ１０が装着された衣服について説明する。【００５３】
図８は、ＲＦＩＤタグが装着された衣服の製造方法を説明する図である。【００５４】
例えば、図２および図３に示すＲＦＩＤタグ１０は、図８に示すように衣服５のタグ５ａに貼り付け等によって装着される。そして、衣服５に装着されされたＲＦＩＤタグ１０に、衣服５の属性を表わす情報が記憶される。例えば、ＪＡＮコード等の衣服５の属性情報を情報書込装置６からＲＦＩＤタグ１０に無線通信によって送信し、この属性情報を回路チップ１３（図２参照）に記憶させる。【００５５】
上述した実施形態では、電子装置としてＲＦＩＤタグの例を説明したが、本発明の電子装置はＲＦＩＤタグに限られず、例えば、可撓性のベースに回路チップが搭載されたプリント回路基板装置に適用できる。【００５６】
図９は、本発明の一実施形態としてのプリント回路基板装置と、このプリント回路基板装置が実装された卓上計算機の概略を示す図である。【００５７】
図９に示す卓上計算機７は、計算機本体部７１と、計算機本体部７１に実装されたプリント回路基板装置７５とを有している。プリント回路基板装置７５は、図２および３に示すＲＦＩＤタグ１０と同様の構造を有している。すなわち、ベースとしてのフレキシブル印刷回路７７（ＦＰＣ７７）に回路チップ７６が搭載されており、また、図示は省略するが、ＦＰＣ７７上には、互いに同心の複数の環を有する補強体が回路チップを囲んで配置され、さらに、封止体が補強体の内側を埋めて回路チップ上部を覆い、回路チップ７６をＦＰＣ７７で封止した構造を有している。ただし、プリント回路基板装置７５の回路チップは、計算機本体部７１の制御機能を有する点と、ＦＰＣ７７上には、アンテナの代わりに回路チップ７６と計算機本体部７１との間で信号を伝達する配線パターンが配線されている点が、図２に示すＲＦＩＤタグ１０と異なる。計算機本体部７１には、各種表示を行う表示装部７１ａおよび操作キー７１ｂが備えられており、回路チップ７６の動作に基づいて駆動される。プリント回路基板装置７５が実装された卓上計算機７は、計算機本体部７１が撓ってもプリント回路基板装置７５における配線パターンの断線が防止される。【００５８】
なお、ここでは、卓上計算機７の計算機本体部７１が撓う場合について説明したが、本発明はこれに限られず、例えば硬いケースを有する機器本体部に電子装置が曲がった状態で実装された電子機器や、修理や保守のため機器本体部から電子装置が取り出される際に電子装置が曲がりやすい電子機器にも適用可能である。また、本発明は卓上計算機に限られず、可撓性のベースに回路チップが搭載された電子装置が実装される携帯電話等、種々の電子機器に適用可能である。【００５９】
また、上述した実施形態では、ＲＦＩＤタグの複数の例を説明したが、本発明の電子装置は、各実施形態で説明したそれぞれの構成に限られるものではなく、各実施形態の要素が組み合わせられたものであってもよい。例えば、補強体が有する複数の環が異なる材料で形成されるとともに、これら複数の環を厚さや太さが互いに異なるものとするものであってもよい。また、例えば、補強体は、厚さや太さが互いに異なる複数の環が接続部によって接続された一体構造のものであってもよい。【００６０】
また、上述した実施形態では、補強体が２つの環からなるものとして説明したが、本発明はこれに限られるものではなく、補強体が３つ以上の環からなるものであってもよい。【００６１】
また、上述した実施形態では、被覆材を有する例を説明したが、本発明の電子装置はこれに限られるものではなく、被覆材が設けられないものであってもよい。
【図１】
2008117382.tif 000003
【図２】
2008117382.tif 000004
【図３】
2008117382.tif 000005
【図４】
2008117382.tif 000006
【図５】
2008117382.tif 000007
【図６】
2008117382.tif 000008
【図７】
2008117382.tif 000009
【図８】
2008117382.tif 000010
【図９】
2008117382.tif 000011
【国際調査報告】
2008117382.tif 000012
2008117382.tif 000013
2008117382.tif 000014
2008117382.tif 000015